(57)【要約】【課題】リサイクル加工を要せずにリサイクル可能な新聞紙包装袋を簡単な構成で実現する。【解決手段】新聞紙包装袋１０は、合成樹脂製のシートで構成されており、内部に新聞紙２０が収容される矩形状に形成された薄い袋状の袋本体１１を有する。この袋本体１１は、四方の端部がシールされた四方シール袋であり、少なくとも一方側の右端部１０１におけるシールライン２１から中央側へ所定距離Ｌ２を隔てた位置にミシン目２４が形成されている。【選択図】図１
0003211670.tif 000002
【実用新案登録請求の範囲】
【請求項１】
合成樹脂製のシートで構成されており、内部に新聞紙が収容される矩形状に形成された薄い袋状の袋本体を有する新聞紙包装袋であって、
前記袋本体は、四方の端部がシールされた四方シール袋であり、少なくとも一方側の第１端部におけるシールラインから中央側へ所定距離を隔てた位置に前記袋本体を開封可能なミシン目が形成されていることを特徴とする新聞紙包装袋。
【請求項２】
前記ミシン目は、前記袋本体において片面に形成されている請求項１に記載の新聞紙包装袋。
【請求項３】
前記ミシン目は、前記袋本体において両面に形成されている請求項１に記載の新聞紙包装袋。
【請求項４】
前記ミシン目は、前記袋本体において前記第１端部側に形成されている請求項１から３のいずれかに記載の新聞紙包装袋。
【請求項５】
前記袋本体において前記第１端部とは反対側の第２端部に前記新聞紙が寄せられた状態で、前記新聞紙における前記第１端部側の新聞紙端部と前記シールラインとの間に余剰空間が設けられており、
前記ミシン目は、前記袋本体において前記余剰空間に対応する位置に前記シールラインに平行に形成されている請求項１から４のいずれかに記載の新聞紙包装袋。
【請求項６】
前記ミシン目の近傍に前記新聞紙包装袋を再利用可能であることを示す表示が印刷されている請求項１から５のいずれかに記載の新聞紙包装袋。
【考案の詳細な説明】
【技術分野】
【０００１】
本考案は、内部に新聞紙を収容する新聞紙包装袋に関し、特に、降雨又は降雪の際に水分が新聞紙に付着しないように、四方がシールされた矩形の袋状の袋本体を有する新聞紙包装袋に関する。
【背景技術】
【０００２】
従来、降雨時に新聞を配達するときに、新聞紙が濡れないように薄い樹脂シートで密閉封止する包装袋が知られている。この種の包装袋は、矩形状に形成されており、四方端がシールされている。このような包装袋に新聞紙が収容された状態で、新聞紙は読者に配付される。読者は、新聞紙を取り出す際に、包装袋を破り、内部から新聞紙を取り出す。一方、破られた包装袋は、その用途が終了したため、リサイクル加工を経て加工樹脂材料としてリサイクルされるか、あるいは廃棄される。
【０００３】
この主の包装袋の一例として、リサイクル加工することなく、新聞紙が取り出された後にそのままの状態で収容袋としてリサイクル可能な新聞紙包装袋が知られている（特許文献１参照）。
【先行技術文献】
【特許文献】
【０００４】
【特許文献１】特開２００６−３３５４２６号公報
【考案の概要】
【考案が解決しようとする課題】
【０００５】
前掲の特許文献１に記載の新聞紙包装袋は、一方端のシール部分を弱く熱溶着する、つまり、樹脂シートを破損しない程度に半融着状態で熱溶着するものであり、このように半融着状態で溶着されたシール部分が読者によって剥がされることによって、新たな収容袋としてのリサイクルを可能とするものである。しかしながら、半融着状態で熱溶着する場合、溶着時に樹脂シートに接触する溶着刃の温度制御が必要となる。悪天候時に新聞紙を配付する際に極めて多くの新聞紙包装袋が必要であることからすると、溶着後に低下した溶着刃の温度を次の溶着に備えて設定温度まで昇温するまでにかかる時間は、多量の新聞紙包装袋の生成を阻害するおそれがある。
【０００６】
本考案は前記事情に鑑みてなされたものであり、その目的は、リサイクル加工を要せずにリサイクル可能な新聞紙包装袋を簡単な構成で実現することにある。
【課題を解決するための手段】
【０００７】
(1)  本考案の新聞紙包装袋は、合成樹脂製のシートで構成されており、内部に新聞紙が収容される矩形状に形成された薄い袋状の袋本体を有する新聞紙包装袋である。この新聞紙包装袋の袋本体は、四方の端部がシールされた四方シール袋であり、少なくとも一方側の第１端部におけるシールラインから中央側へ所定距離を隔てた位置に前記袋本体を開封可能なミシン目が形成されていることを特徴とする。
【０００８】
このように新聞紙包装袋が構成されているため、ミシン目に沿って新聞紙包装袋の本体をきれいに開封することができる。これにより、新聞紙包装袋を破ることなく内部から新聞紙を取り出すことができる。また、開封後の新聞紙包装袋は、そのままの状態で、ゴミなどの所定の物を収容するための収容袋としての用途に再利用することができる。
【０００９】
(2)  前記ミシン目は、前記新聞紙包装袋の袋本体において片面に形成されていることが好ましい。この場合、新聞紙包装袋が分割されず、一つの収容袋として再利用することができる。
【００１０】
(3)  また、前記ミシン目は、前記新聞紙包装袋の袋本体において両面に形成されていてもよい。この場合、袋本体の表裏の両面のミシン目に沿って袋本体を切断することにより、新聞紙包装袋を二つの袋体にきれいに分割することができる。その結果、新聞紙包装袋が二つの収容袋に分割されて、二つの収容袋として再利用することができる。
【００１１】
(4)  本考案の新聞紙包装袋では、前記ミシン目は、前記袋本体において前記第１端部側に形成されている。
【００１２】
例えば、袋本体の片面にミシン目が形成されている場合は、前記第１端部側にミシン目が形成されることによって、開封後に、収容容積の大きな収容袋として再利用することができる。また、袋本体の両面にミシン目が形成されている場合は、前記ミシン目で分割された２つの袋体のうち、一方の大きい方の袋体を新たな収容袋として再利用することができ、他方の細長い紐状又は細幅帯状の袋体は、実質的に袋としての機能は有しないが、前記新たな収容袋の開口部を綴じるための綴じ紐として再利用することができる。
【００１３】
(5)  本考案の新聞紙包装袋には、当該新聞紙包装袋の袋本体において前記第１端部とは反対側の第２端部に前記新聞紙が寄せられた状態で、前記新聞紙における前記第１端部側の新聞紙端部と前記シールラインとの間に余剰空間が設けられている。この場合、前記ミシン目は、前記袋本体において前記余剰空間に対応する位置に前記シールラインに平行に形成されていることが好ましい。
【００１４】
このように構成されているため、内部に収容された新聞紙の端部と前記シールラインとが近接した位置に配置されているため、読者が新聞紙包装袋の袋本体の第１端部を摘んで幅方向の端部から引っ張り上げたときに、新聞紙の端部に沿ってミシン目がきれいに切断される。また、前記余剰空間に対応する位置にミシン目が形成されているため、新聞紙の紙面に対応する位置にミシン目が形成されている場合に比べて、ミシン目から新聞紙包装袋の内部に水分が侵入し難くなる。
【００１５】
(6)  本考案の新聞紙包装袋には、前記ミシン目の近傍に、前記新聞紙包装袋を再利用可能であることを示す表示が印刷されている。
【００１６】
このような表示があるため、読者は新聞紙包装袋をどの位置から取り出せば良いかを容易に理解することができる。また、再利用が可能であることも容易に理解することができる。これにより、誤って新聞紙包装袋を無理矢理に破ることを防止することができ、本来はそのままの状態で再利用可能なものが廃棄物となってしまうことを防止できる。
【考案の効果】
【００１７】
本考案によれば、リサイクル加工を要せずに、リサイクル可能な新聞紙包装袋を簡単な構成で実現することが可能である。
【図面の簡単な説明】
【００１８】
【図１】本考案の実施形態に係る新聞紙包装袋１０の構成を示す図である。
【図２】本考案の実施形態に係る新聞紙包装袋１０の構成を示す図であり、図１における矢視ＩＩ−ＩＩの断面図である。
【図３】本考案の実施形態に係る新聞紙包装袋１０が二つに分割された状態を示す斜視図である。
【図４】本考案の実施形態に係る新聞紙包装袋１０の片面のみにミシン目２４が形成された構成を示す斜視図である。
【考案を実施するための形態】
【００１９】
以下、適宜図面を参照して本考案の実施形態について説明する。なお、以下に説明される実施形態は本考案を具体化した一例にすぎず、本考案の要旨を変更しない範囲で、本考案の実施形態は適宜変更できる。
【００２０】
図１は、本考案の実施形態に係る新聞紙包装袋１０の全体構成を示す図である。また、図２は、新聞紙包装袋１０の断面構造を示す図である。なお、図１では、新聞紙包装袋１０の一部の内部が示されている。
【００２１】
本考案の実施形態に係る新聞紙包装袋１０は、内部に新聞紙２０を収容するための新聞紙包装袋である。新聞紙包装袋１０は、降雨又は降雪などの悪天候時に新聞紙２０が濡れないようにするために、内部に新聞紙２０を収容した状態で密閉封止されたものである。具体的には、図１に示すように、新聞紙包装袋１０は、２枚の薄肉の樹脂シート１２，１３が互いに対向するように重ね合わされた袋本体１１を有している。つまり、袋本体１１は、２枚の薄肉の樹脂シート１２，１３によって構成されている。
【００２２】
新聞紙包装袋１０の袋本体１１は、合成樹脂製の樹脂シート１２，１３で構成されている。袋本体１１は、矩形状に形成されており、具体的には、図１に示すように、長方形状に形成されている。袋本体１１の長手方向の寸法（横寸法）は、例えば約４９０ｍｍ、短手方向の寸法（縦寸法）が約３００ｍｍに形成されている。ここで、前記長手方向は、図１の紙面における左右方向（横方向）であり、前記短手方向は、図１の紙面における上下方向（縦方向）である。なお、新聞紙包装袋１０及び袋本体１１の形状やサイズは上述したものに限られず、収容される新聞紙２０の折り畳み形状や新聞紙２０のサイズに適合したものであればよい。
【００２３】
新聞紙包装袋１０は、袋本体１１の内部に新聞紙２０が収容された状態で、上下左右の端部、つまり、四方の端部が閉塞されている。新聞紙包装袋１０は、以下の要領で作製される。すなわち、長尺帯状の樹脂シート１２が巻回されたロール部から樹脂シート１２が引き出され、長尺帯状の樹脂シート１３が巻回されたロール部から樹脂シート１３が引き出されて、樹脂シート１２と樹脂シート１３とが上下に対向配置された状態で、それらの間の空間に四つ折り（８Ｐ折り）にされた新聞紙２０（約Ａ３サイズ）が搬送され、樹脂シート１２、樹脂シート１３、及び新聞紙２０の３つの部材が上下に重ね合わされた状態で新聞紙２０の外周端縁の外側の部分が熱溶着装置によって熱溶着されると同時に切断される。なお、新聞紙包装袋１０は、上述の方法で作製されたものに限られない。例えば、１枚の樹脂シートを二つ折りにして、その後、内部に新聞紙２０を配置させた状態で三方の端部を熱溶着する方法によって新聞紙包装袋１０を作製することも可能である。また、前掲した特許文献１（特開２００６−３３５４２６号公報）に記載の方法や、他の従来周知の方法によって作製することも可能である。
【００２４】
本実施形態では、新聞紙包装袋１０の袋本体１１を構成する樹脂シート１２，１３は、安価であり汎用性及び再利用性が高いポリエチレンを材料として形成される。具体的には、ＨＤＰＥ（高密度ポリエチレン）、ＬＤＰＥ（低密度ポリエチレン）、或いはこれらの混合材料が材料として用いられる。もちろん、ポリエチレンに限られず、ポリエチレン以外の合成樹脂、例えば、ポリプロリレン、ポリエステル等で樹脂シート１２，１３が構成されてもよい。
【００２５】
図１及び図２に示すように、袋本体１１の長手方向の一方側の端部（右端部）１０１の近傍の位置に、前記熱溶着によって樹脂シート１２，１３が溶着されてシールされたシールライン（シール部）２１が形成されている。シールライン２１は、右端部１０１から中央側（図１において左側）へ所定距離Ｌ１を隔てた位置に形成されている。具体的には、シールライン２１は、右端部１０１に平行であって、短手方向に真っ直ぐに一直線上に形成されている。本実施形態では、所定距離Ｌ１は約３０ｍｍである。なお、袋本体１１の他方側の端部（左端部）にも、当該端部から所定距離Ｌ１を隔てた位置にシールライン（シール部）２２が形成されている。
【００２６】
また、新聞紙包装袋１０の袋本体１１において、シールライン２１の近傍の位置にミシン目２４が形成されている。ミシン目２４は、シールライン２１から中央側（図１において左側）へ所定距離Ｌ２を隔てた位置に形成されている。また、ミシン目２４は、新聞紙包装袋１０の袋本体１１を構成する樹脂シート１２，１３それぞれに形成されている。つまり、ミシン目２４は、袋本体１１の表面及び裏面の両面それぞれに形成されている。具体的には、ミシン目２４は、シールライン２１及び右端部１０１それぞれに平行であって、短手方向に真っ直ぐに一直線上に形成されている。本実施形態では、所定距離Ｌ２は約１０ｍｍである。つまり、ミシン目２４は、右端部１０１から約４０ｍｍ（Ｌ１＋Ｌ２）を隔てた位置に形成されている。
【００２７】
このような位置にミシン目２４が形成されているため、新聞紙が収容された新聞紙包装袋１０を手にした読者は、袋本体１１のミシン目２４に沿って袋本体１１をきれいに切断することによって、新聞紙包装袋１０を開封して、内部から新聞紙を取り出すことができる。この場合、図３に示すように、袋本体１１は、ミシン目２４によって２つの部材に切り分けられる。具体的には、袋本体１１は、長手方向の一方側（右側）の細長い紐状部材１０Ｂと、長手方向の他方側（左側）の大きい袋状の袋部材１０Ａとに分割することができる。このとき、袋部材１０Ａにおいて、ミシン目２４が形成されていた部分は、内部の新聞紙を取り出すための開口部３０となる。これにより、読者は、新聞紙包装袋１０を無理矢理に破ることなく、ミシン目２４に沿ってきれいに分割することで、新聞紙包装袋１０の内部の新聞紙を開口部３０からスムーズに取り出すことができる。また、新聞紙包装袋１０が上述したように２つに切り分けられることによって、切り離された袋部材１０Ａは、特にリサイクル加工を施すことなく、新聞紙以外の他のもの（例えばゴミなど）を収容可能な収容袋として読者によって再利用可能となる。また、他方の細長い紐状部材１０Ｂは、袋部材１０Ａの開口部３０を綴じるための綴じ紐として再利用することができる。
【００２８】
ここで、図２に示すように、本実施形態の新聞紙包装袋１０の袋本体１１の内部には、右端部１０１とは反対側の端部（左端部）１０２に新聞紙２０が寄せられた状態で、右側に余剰空間３１が形成される。この余剰空間３１は、新聞紙包装袋１０の内部において、新聞紙２０の右端部２０Ａとシールライン２１との間に形成される。左端部１０２に新聞紙２０が寄せられた状態で、新聞紙２０の右端部２０Ａは、右端部１０１から中央側（図１において左側）へ所定距離Ｌ３を隔て位置に配置される。本実施形態では、所定距離Ｌ３は約５０ｍｍである。つまり、新聞紙２０の右端部２０Ａは、ミシン目２４から中央側へ約１０ｍｍを隔てた位置に配置される。ミシン目２４は、樹脂シート１２，１３それぞれにおいて、余剰空間３１に対応する位置に形成されている。具体的には、左端部１０２に新聞紙２０が寄せられた状態で、新聞紙２０の右端部２０Ａから右側へ約１０ｍｍを隔てた位置に形成されている。
【００２９】
このような位置にミシン目２４が形成されているため、読者が新聞紙包装袋１０の右端部１０１を摘んで短手方向の端部から引っ張り上げたときに、新聞紙２０の右端部２０Ａに沿ってミシン目２４がきれいに切断される。また、余剰空間３１に対応する位置にミシン目２４が形成されているため、新聞紙２０の紙面に対応する位置にミシン目２４が形成されている場合に比べて、ミシン目２４から新聞紙包装袋１０の内部に水分が侵入し難くなる。
【００３０】
更に、本実施形態の新聞紙包装袋１０には、図１に示すように、ミシン目２４に沿って、２つのメッセージ４１，４２が印刷されている。メッセージ４１，４２は、新聞紙包装袋１０を再利用可能であることを示す表示の一例である。具体的には、ミシン目２４よりも中央側（図１において左側）には、「収容袋として再利用できます。」という内容のメッセージ４１が印刷されている。つまり、メッセージ４１は、袋部材１０Ａに印刷されている。また、ミシン目２４よりも外側（図１において右側）には、「結束用の綴じ紐として再利用できます。」という内容のメッセージ４２が印刷されている。つまり、メッセージ４２は、紐状部材１０Ｂに印刷されている。また、メッセージ４１又は４２の近傍に、「ミシン目に沿ってゆっくりと開封してください。」や、「このミシン目に沿って開封してください。」という内容のメッセージが表示されていてもよい。
【００３１】
このようなメッセージ４１，４２が表示されているため、読者は新聞紙包装袋１０をどの位置から取り出せば良いかを容易に理解することができる。また、開封後の袋部材１０Ａ及び紐状部材１０Ｂが再利用可能であることを容易に理解することができる。これにより、誤って新聞紙包装袋１０が無理矢理に破られることを防止できる。その結果、本来はそのままの状態で再利用可能なものが廃棄物となってしまうことを防止できる。また、読者は、袋部材１０Ａと紐状部材１０Ｂそれぞれの用途を容易に理解することができる。
【００３２】
なお、上述の実施形態では、ミシン目２４が袋本体１１の右端部１０１側に形成された構成の新聞紙包装袋１０を例示したが、本発明はこのような構成に限られない。例えば、ミシン目２４は、新聞紙包装袋１０の袋本体１１の長手方向の中央に形成されていてもよい。この場合、ミシン目２４が切断されることによって、二つの袋部材に分けられるため、読者は、二つの袋部材それぞれをそのままの状態で収容袋として再利用することができる。
【００３３】
また、上述の実施形態では、袋本体１１の両面にミシン目２４が形成された新聞紙包装袋１０を例示したが、本発明はこのような構成に限られない。例えば、ミシン目２４は、袋本体１１の片側の面だけに形成されていてもよい。この場合、図４に示すように、右端部１０１側に形成されたミシン目２４が切断されることにより、切断されたミシン目２４の部分が新聞紙２０を取り出すための開口部３０となり、読者は片面だけに形成された開口部３０から新聞紙２０を取り出すことができる。また、この場合は、袋本体１１が二つに分離されないため、袋本体１１そのものを、開口部３０を有する収容袋として再利用することができる。
【符号の説明】
【００３４】
１０：包装袋集合体
１１：袋本体
１２：樹脂シート
１３：樹脂シート
２０：新聞紙
２４：ミシン目
３１：余剰空間
４１，４２：メッセージ
【図１】
0003211670.tif 000003
【図２】
0003211670.tif 000004
【図３】
0003211670.tif 000005
【図４】
0003211670.tif 000006